(57)【要約】【課題】印加される所定周波数のパルスに細胞や皮膚が慣れてしまうことによる細胞や皮膚の活性度の低下を防ぎ、温熱作用により細胞や皮膚の活性化を更に促進する。【解決手段】本発明の美容器具１は、ＤＣ／ＤＣコンバータ２２と、第１パルス又は第２パルスを生成するパルス生成部２３と、電源電圧に基づき第３パルスを生成するパルス生成部２５と、第３パルスを昇圧する昇圧部２６と、第１ヘッド３と、第２ヘッド４と、第１パルス又は第２パルスの出力先を第１ヘッド３又は第２ヘッド４のいずれかに切り替える切替部２４と、昇圧部２６で昇圧された第３パルスの出力先を第１ヘッド３又は第２ヘッド４に切り替える切替部２７と、制御部２０とを有し、パルス生成部２３は、制御部２０の制御に基づき第１パルスと第２パルスとを所定間隔で交互に出力し、パルス生成部２５は、第３パルスを定常的に出力する。【選択図】図４
2020039575.tif 000002
【特許請求の範囲】
【請求項１】
電源電圧を所定電圧に変換する変換部と、
前記変換部の出力に基づき周波数の異なる第１パルス又は第２パルスを生成する第１パルス生成部と、
前記電源電圧に基づき前記第１パルス及び第２パルスとは周波数の異なる第３パルスを生成する第２パルス生成部と、
前記第２パルス生成部から出力される前記第３パルスを所定電圧に昇圧する昇圧部と、
複数の電極からなる第１ヘッドと、
複数の電極からなる第２ヘッドと、
前記第１パルス生成部から出力された前記第１パルス又は前記第２パルスの出力先を前記第１ヘッド又は前記第２ヘッドのいずれかに切り替える第１切替部と、
前記昇圧部で昇圧された前記第３パルスの出力先を前記第１ヘッド又は前記第２ヘッドのいずれかに切り替える第２切替部と、
前記第１パルス生成部、前記第２パルス生成部、前記第１切替部、及び前記第２切替部を少なくとも制御する制御部と、を有し、
前記第１パルス生成部は、前記制御部の制御に基づき前記第１パルスと前記第２パルスとを所定間隔で交互に出力し、前記第２パルス生成部は、前記第３パルスを定常的に出力する
美容器具。
【請求項２】
前記第１パルスの周波数は８０ｋＨｚであり、前記第２パルスの周波数は９０ｋＨｚであり、前記第３パルスの周波数は１ＭＨｚである
請求項１に記載の美容器具。
【請求項３】
前記所定の間隔とは、周波数２２０ｋＨｚである
請求項１又は請求項２に記載の美容器具。
【請求項４】
前記第１ヘッドと前記第２ヘッドは、本体の両端にそれぞれ形成された第１の平面と第２の平面にそれぞれ形成されており、前記第２ヘッドは前記第１ヘッドに比べて小さい電極で構成されている
請求項１乃至請求項３のいずれか１項に記載の美容器具。
【発明の詳細な説明】
【技術分野】
【０００１】
本発明は、細胞又は皮膚の活性化による美容効果をもたらす美容器具に関する。
【背景技術】
【０００２】
従来、例えば美容効果を期待して、人の顔等に電気的な刺激を与える美容器具について種々の技術が提案されている。
【０００３】
このような技術として、例えば、特許文献１では、パルス電流を皮膚に通電させる美容装置であっって、皮膚細胞や人体組織がパルス電流の波形パターンを記憶して電気刺激に慣れてしまい、反応が鈍化して効果が衰えることを避けるため、皮膚に通電する電流のパルス波形パターンを複雑化して、継続的使用においても使用開始時同様の効果を得ることができる美容装置が開示されている。
【先行技術文献】
【特許文献】
【０００４】
【特許文献１】特開２０１７−５１２６０号公報
【発明の概要】
【発明が解決しようとする課題】
【０００５】
しかしながら、特許文献１に開示された技術では、細胞や皮膚の活性化を更に促進するのに寄与する温熱作用については、何ら着目していなかった。
【０００６】
さらに、複数のパルスを印加することにより細胞や皮膚の反応の鈍化を抑制するのに好適な周波数については言及されていなかった。
【０００７】
本発明は、このような課題に鑑みてなされたものであり、好適な周波数の複数のパルスの印加により、パルスに細胞や皮膚が慣れてしまうことによる細胞や皮膚の活性度の低下を防ぎ、温熱作用により細胞や皮膚の活性化を更に促進することを目的とする。
【課題を解決するための手段】
【０００８】
上記課題を解決するため、本発明の一態様に係る美容器具は、電源電圧を所定電圧に変換する変換部と、前記変換部の出力に基づき周波数の異なる第１パルス又は第２パルスを生成する第１パルス生成部と、前記電源電圧に基づき前記第１パルス及び第２パルスとは周波数の異なる第３パルスを生成する第２パルス生成部と、前記第２パルス生成部から出力される前記第３パルスを所定電圧に昇圧する昇圧部と、複数の電極からなる第１ヘッドと、複数の電極からなる第２ヘッドと、前記第１パルス生成部から出力された前記第１パルス又は前記第２パルスの出力先を前記第１ヘッド又は前記第２ヘッドのいずれかに切り替える第１切替部と、前記昇圧部で昇圧された前記第３パルスの出力先を前記第１ヘッド又は前記第２ヘッドのいずれかに切り替える第２切替部と、前記第１パルス生成部、前記第２パルス生成部、前記第１切替部、及び前記第２切替部を少なくとも制御する制御部と、を有し、前記第１パルス生成部は、前記制御部の制御に基づき前記第１パルスと前記第２パルスとを所定間隔で交互に出力し、前記第２パルス生成部は、前記第３パルスを定常的に出力する。
【０００９】
この態様において、前記第１パルスの周波数は８０ｋＨｚであり、前記第２パルスの周波数は９０ｋＨｚであり、前記第３パルスの周波数は１ＭＨｚである。
【００１０】
さらに、この態様において、所定の間隔とは、周波数２２０ｋＨｚである。
【００１１】
さらに、この態様において、前記第１ヘッドと前記第２ヘッドは、本体の両端にそれぞれ形成された第１の平面と第２の平面にそれぞれ形成されており、前記第２ヘッドは前記第１ヘッドに比べて小さい電極で構成されている。
【発明の効果】
【００１２】
本発明によれば、好適な周波数の複数のパルスの印加によりパルスに細胞や皮膚が慣れてしまうことによる細胞や皮膚の活性度の低下を防ぎ、温熱作用により細胞や皮膚の活性化を更に促進する美容器具を提供することができる。
【図面の簡単な説明】
【００１３】
【図１】本発明の一実施形態に係る美容器具の構成図である。
【図２】同美容器具の充電器への装着を説明する図である。
【図３】同美容器具の斜視図である。
【図４】同美容器具の制御系の構成を示す図である。
【図５】同美容器具により出力されるパルスの一例を示す図である。
【発明を実施するための形態】
【００１４】
以下、図面を参照しつつ本発明の一実施形態について説明する。
【００１５】
図１には、本発明の一実施形態に係る美容器具の構成を示し、図２には、同美容器具の充電器への接続の過程を示し、図３には、同美容器具の斜視図を示し、説明する。
【００１６】
同図に示されるように、美容器具１は、第１の平面２ａと当該第１の平面２ａよりも小さい第２の平面２ｂとを有する本体２を備えている。
【００１７】
本体２の第１の平面２ａには、第１ヘッド３が配設されている。第１ヘッド３は複数の電極３ａ乃至３ｇで構成されている。この例では、第１ヘッド３は、中心部に配設される電極３ａと、当該電極３ａを６方向から取り囲む電極３ｂ乃至３ｇからなる。この第１ヘッド３は、人の顔全体に対するトリートメントを実施する目的で設けられたものであり、「フェイスヘッド」とも称される。
【００１８】
本体２の第２の平面２ｂには、第２ヘッド４が配設されている。第２ヘッド４は複数の電極４ａ乃至４ｆで構成されている。この例では、第２ヘッド４は、中心部に配設される電極４ａと、当該電極４ａを４方向から取り囲む電極４ｂ乃至４ｅと、電極４ｂ乃至４ｅを円弧状に取り囲むリング形状の電極４ｆとからなる。この第２ヘッド４は、人の目じりなどの細かい部分に対するトリートメントを実施する目的で設けられたものであることから、「ポイントヘッド」とも称される。
【００１９】
そして、本体２の第１の平面２ａの第１ヘッド３の配設領域の下方には、モードスイッチ５と、パワーレベルボタン６と、電源ボタン７と、表示部８が配設されている。モードスイッチ５は、動作モードをフェイスモード、ポイントモード、スキンチェックモードの中から選択するものである。パワーレベルボタン６は、パワーレベルをレベル１（Ｌｖ１）〜レベル４（Ｌｖ４）の中から選択するものである。電源ボタン７は、電源のＯＮ／ＯＦＦを切り替えるものである。表示部８は、設定されたモード、及びレベルに応じた表示を行うものである。
【００２０】
このほか、図３に示されるように、本体２の中央部から第１の平面２ａに向けて、本体の周囲を取り囲むように、充電ランプ９が配設されている。美容器具１を充電するときには、図２に示されるように、美容器具１を充電器１０に搭載すれば充電が実施されるように構成されている。
【００２１】
このような構成において、実際の使用に際しては、電源ボタン７を押して電源をオンした後、モードボタン５の操作によりフェイスモードかポイントモードのいずれかを選択する。続いて、パワーレベルボタン６の操作により４段階のパワーレベルの中から所望とするレベルを選択する。
【００２２】
フェイスモードでの使用の場合、第１ヘッド３の全体にジェルを塗布し、顔全体にゆっくりと円を描くようにトリートメントを実施する。１箇所について２〜３分がトリートメントの目安となる。ポイントモードでの使用の場合、第２ヘッド４の全体にジェルを塗布し、目じりなどの細かい部分に円を描くようにトリートメントを実施する。この場合も、１箇所について２〜３分がトリートメントの目安となる。
【００２３】
次に、図４には、本発明の一実施形態に係る美容器具の制御系の構成を示し説明する。
【００２４】
同図に示されるように、美容器具１は、全体の制御を司るＣＰＵ（Central Processing Unit）などの制御部２０を備えている。制御部２０には、バッテリモジュール等の電源部２１より電源供給される。美容機器１は、ＤＣ／ＤＣコンバータ２２を有しており、ＤＣ／ＤＣコンバータ２２の出力は、パルス生成部２３、切替部２４を介して、第１ヘッド３の各電極３ａ乃至３ｇ、及び第２ヘッド４の電極４ａ乃至４ｆに接続されている。
【００２５】
電源電圧は、ＤＣ／ＤＣコンバータ２２に与えられ、当該ＤＣ／ＤＣコンバータ２２で所定の電圧に変換に変換された後、パルス生成部２３で周波数が８０ｋＨｚの第１パルス又は周波数が９０ＫＨｚの第２パルスが生成され、切替部２４を介して各電極３ａ乃至３ｇ又は４ａ乃至４ｆより印加される。
【００２６】
ＤＣ／ＤＣコンバータ２２は、制御部２０からの制御信号に基づいて駆動する。パルス生成部２３は、制御部２０からの制御信号に基づいて周波数が８０ｋＨｚの第１パルス又は周波数が９０ｋＨｚの第２パルスを生成する。そして、切替部２４では、制御部２０からの制御信号を受け、モード選択スイッチ２８ｂの操作によるフェイスモード／ポイントモードの設定に基づいて、出力先が制御される。
【００２７】
電源部２１は、パルス生成部２５を介して昇圧回路２６に接続されており、当該昇圧回路２６の出力は切替部２７を介して、第１ヘッド３の各電極３ａ乃至３ｇ、及び第２ヘッド４の電極４ａ乃至４ｆに接続されている。パルス生成部２５は、電源電圧を受けて、周波数が１ＭＨｚの第３パルスを生成する。昇圧回路２６では、この第３パルスが昇圧された後、切替部２７を介して各電極３ａ乃至３ｇ又は４ａ乃至４ｆより印加される。切替部２７では、制御部２０からの制御信号を受け、モード選択スイッチ２８ｂの操作によるフェイスモード／ポイントモードの設定に基づいて、出力先が制御される。
【００２８】
制御部２０には、電源スイッチ２８ａ、モード選択スイッチ２８ｂ、パワーレベルスイッチ２８ｃがそれぞれ接続されている。さらに、制御部２０には、モード表示用のＬＥＤ２９ａ乃至２９ｃと、ブルートゥース（登録商標）の通信状態を示すＬＥＤ２９ｄと、レベル表示用のＬＥＤ２９ｅ乃至２９ｈがそれぞれ接続されている。
【００２９】
さらに、美容機器１は、充電器１０から供給される電圧を所定の電圧に変換するＤＣ／ＤＣコンバータ３０が設けられている。充電器１０は、充電器１０の制御を司る充放電コントローラ４０と、充電表示灯４１を有しており、ＡＣアダプタ４２からの交流電源は充電器１０に供給されるようになっている。
【００３０】
制御部２０は、動作モードが「フェイスモード」に設定されている場合には、周波数が８０ｋＨｚの第１パルス又は周波数が９０ｋＨｚの第２パルスの印加先が第１ヘッド３の電極３ｂ，３ｃ，３ｄ，３ｅ，３ｆ，３ｇとなり、周波数が１ＭＨｚの第３のパルスの印加先が第１ヘッド３の電極３ｂ，３ｅ，３ａとなるように、切替部２４，２７の切替を制御することになる。
【００３１】
これに対して、動作モードが「ポイントモード」に設定されている場合には、周波数が８０ｋＨｚの第１パルス又は周波数が９０ｋＨｚの第２パルスの印加先が第２ヘッド４の電極４ｂ，４ｄ，４ｆとなり、周波数が１ＭＨｚの第３のパルスの印加先が第２ヘッド４の電極４ｂ，４ｄ，４ｆとなるように、切替部２４，２７の切替を制御する。
【００３２】
ここで、本発明の実施形態に係る美容器具１の第１ヘッド３及び第２ヘッド４から出力されるパルスの波形は、図５に示される通りである。
【００３３】
同図に示されるように、第１ヘッド３の電極３ｂ，３ｃ，３ｄ，３ｅ，３ｆ，３ｇ又は第２ヘッド４の電極４ｂ，４ｄ，４ｆには、８０ｋＨｚの周波数の第１パルスと９０ｋＨｚの周波数の第２パルスとが、この例では、所定間隔（１秒間に２２０回）で切替られつつ出力される。その全過程において、第１ヘッド３の電極３ｂ，３ｅ，３ａ又は第２ヘッド４の電極４ｂ，４ｄ，４ｆには、１ＭＨｚの周波数の第３のパルスが定常的に出力されるようになっている。
【００３４】
このように、第１パルスと第２パルスを、細胞や皮膚に対して所定間隔（この例では１秒間に２２０回）で切り替えて付与することにより、１つの周波数を持続的に与え続ける場合に比べて細胞や皮膚が周波数の刺激に慣れにくいので、細胞や皮膚の活性度を向上させることができる。さらに、定常的に与える第３パルスによれば、使用者の細胞や皮膚に対する温熱効果を高めることができるので、第１パルス又は第２パルスの付与による細胞や皮膚の活性度の向上と相まって、美容効果を促進することができる。
【００３５】
以上説明したように、本発明の実施形態によれば、電源電圧を所定電圧に変換する変換部としてのＤＣ／ＤＣコンバータ２２と、変換部の出力に基づき周波数の異なる第１パルス又は第２パルスを生成する第１パルス生成部２３と、電源電圧に基づき第１パルス及び第２パルスとは周波数の異なる第３パルスを生成する第２パルス生成部２５と、第２パルス生成部から出力される第３パルスを所定電圧に昇圧する昇圧部２６と、複数の電極３ａ乃至３ｇからなる第１ヘッド３と、複数の電極４ａ乃至４ｆからなる第２ヘッド４と、第１パルス生成部から出力された第１パルス又は第２パルスの出力先を第１ヘッド３又は第２ヘッド４のいずれかに切り替える第１切替部２４と、昇圧部で昇圧された第３パルスの出力先を第１ヘッド３又は第２ヘッド４のいずれかに切り替える第２切替部２７と、第１パルス生成部、第２パルス生成部、第１切替部、及び第２切替部の切り替えを少なくとも制御する制御部２０とを有し、第１パルス生成部は、制御部の制御に基づき第１パルスと第２パルスとを所定間隔で交互に出力し、第２パルス生成部は、第３パルスを定常的に出力する美容器具１が提供される。
【００３６】
従って、一の周波数のパルスを持続的に与え続ける場合に比べて、細胞や皮膚がパルスの刺激に慣れにくいようにして、細胞や皮膚の活性度を向上させ、定常的に与える第３パルスにより、使用者の細胞や皮膚に対する温熱効果を高め、第１パルス又は第２パルスの付与による細胞や皮膚の活性度の向上と相まって、美容効果を促進することができる。
【００３７】
ここで、前記第１パルスの周波数は８０ｋＨｚ、前記第２パルスの周波数は９０ｋＨｚであり、前記第３パルスの周波数は１ＭＨｚでよい。８０ｋＨｚの第１パルス及び９０ｋＨｚの第２パルスは、細胞や皮膚の活性化を促進するのに好適であり、１ＭＨｚの第３パルスは、細胞や皮膚の温熱効果を促進し、活性化を更に促進するのに好適である。
【００３８】
さらに、記所定の間隔とは、周波数２２０ｋＨｚであってよい。この繰り返し周期は細胞や皮膚の活性化を促進するのに好適である。
【００３９】
さらに、前記第１ヘッドと前記第２ヘッドは、本体の両端にそれぞれ形成された第１の平面と第２の平面にそれぞれ形成されており、前記第２ヘッドは前記第１ヘッドに比べて小さい電極で構成されてよい。従って、大きな第１ヘッドにより顔等の肌全体のトリートメントを行うことができ、第１ヘッドよりも小さい第２ヘッドにより目じり等の細かい部分のトリートメントを行うことができるので、ユーザによる利用用途を大幅に広げることができる。
【００４０】
以上、本発明の一実施形態について説明したが、本発明はこれに限定されることなくその趣旨を逸脱しない範囲で種々の改良・変更が可能であることは勿論である。
【００４１】
例えば、パルスを出力する第１ヘッド及び第２ヘッドの電極の配列は前述したものに限定されず、種々の配列パターンとすることができる。
【符号の説明】
【００４２】
１…美容器具、２…本体、３…第１ヘッド、３ａ〜３ｇ…電極、４…第２ヘッド、４ａ〜４ｆ…電極、５…モードボタン、６…パワーレベルボタン、７…電源ボタン、８…充電ランプ、１０…充電器、２０…制御部、２１…電源部、２２…ＤＣ／ＤＣコンバータ、２３…第１パルス生成部、２４…切替部、２５…第２パルス生成部、２６…昇圧部、２７…切替部、２８ａ…パワースイッチ、２８ｂ…モード選択スイッチ、２８ｃ…レベルスイッチ、２９ａ…モード表示部（ＦＡＣＥ）、２９ｂ…モード表示部（ＰＯＩＮＴ）、２９ｃ…モード表示部（ＳＫＩＮＣＨＥＣＫ）、２９ｄ…ブルートゥース（登録商標）表示部、２９ｅ…レベル表示部（Ｌｖ１）、２９ｆ…レベル表示部（Ｌｖ２）、２９ｇ…レベル表示部（Ｌｖ３）、２９ｈ…レベル表示部（Ｌｖ４）、３０…ＤＣ／ＤＣコンバータ、４０…充放電コントローラ、４１…充電表示部、４２…ＡＣアダプタ。
【図１】
2020039575.tif 000003
【図２】
2020039575.tif 000004
【図３】
2020039575.tif 000005
【図４】
2020039575.tif 000006
【図５】
2020039575.tif 000007
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
電源電圧を所定電圧に変換する変換部と、
前記変換部の出力に基づき周波数の異なる第１パルス又は第２パルスを生成する第１パルス生成部と、
前記電源電圧に基づき前記第１パルス及び第２パルスとは周波数の異なる第３パルスを生成する第２パルス生成部と、
前記第２パルス生成部から出力される前記第３パルスを所定電圧に昇圧する昇圧部と、
複数の電極からなる第１ヘッドと、
複数の電極からなる第２ヘッドと、
前記第１パルス生成部から出力された前記第１パルス又は前記第２パルスの出力先を前記第１ヘッド又は前記第２ヘッドのいずれかに切り替える第１切替部と、
前記昇圧部で昇圧された前記第３パルスの出力先を前記第１ヘッド又は前記第２ヘッドのいずれかに切り替える第２切替部と、
前記第１パルス生成部、前記第２パルス生成部、前記第１切替部、及び前記第２切替部を少なくとも制御する制御部と、を有し、
前記第１パルス生成部は、前記制御部の制御に基づき前記第１パルスと前記第２パルスとを所定間隔で交互に出力し、前記第２パルス生成部は、前記第３パルスを定常的に出力し、
前記第１パルスの周波数は８０ｋＨｚであり、前記第２パルスの周波数は９０ｋＨｚであり、前記第３パルスの周波数は１ＭＨｚである
美容器具。
【請求項２】
前記所定の間隔とは、周波数２２０ｋＨｚである
請求項１に記載の美容器具。
【請求項３】
前記第１ヘッドと前記第２ヘッドは、本体の両端にそれぞれ形成された第１の平面と第２の平面にそれぞれ形成されており、前記第２ヘッドは前記第１ヘッドに比べて小さい電極で構成されている
請求項１又は請求項２に記載の美容器具。
【手続補正２】
【補正対象書類名】明細書
【補正対象項目名】０００８
【補正方法】変更
【補正の内容】
【０００８】
上記課題を解決するため、本発明の一態様に係る美容器具は、電源電圧を所定電圧に変換する変換部と、前記変換部の出力に基づき周波数の異なる第１パルス又は第２パルスを生成する第１パルス生成部と、前記電源電圧に基づき前記第１パルス及び第２パルスとは周波数の異なる第３パルスを生成する第２パルス生成部と、前記第２パルス生成部から出力される前記第３パルスを所定電圧に昇圧する昇圧部と、複数の電極からなる第１ヘッドと、複数の電極からなる第２ヘッドと、前記第１パルス生成部から出力された前記第１パルス又は前記第２パルスの出力先を前記第１ヘッド又は前記第２ヘッドのいずれかに切り替える第１切替部と、前記昇圧部で昇圧された前記第３パルスの出力先を前記第１ヘッド又は前記第２ヘッドのいずれかに切り替える第２切替部と、前記第１パルス生成部、前記第２パルス生成部、前記第１切替部、及び前記第２切替部を少なくとも制御する制御部と、を有し、前記第１パルス生成部は、前記制御部の制御に基づき前記第１パルスと前記第２パルスとを所定間隔で交互に出力し、前記第２パルス生成部は、前記第３パルスを定常的に出力し、前記第１パルスの周波数は８０ｋＨｚであり、前記第２パルスの周波数は９０ｋＨｚであり、前記第３パルスの周波数は１ＭＨｚである。
【手続補正３】
【補正対象書類名】明細書
【補正対象項目名】０００９
【補正方法】削除
【補正の内容】